(57)【要約】【課題】  コンテンツの配信を受ける受信者の意向に沿ってコンテンツの配信期間を延長することができるコンテンツ配信システムを提供する。【解決手段】  ステップＳ５０において再生されたコンテンツ（再生コンテンツ）をお気に入りにして配信期間を延長する場合（ステップＳ５２）、アクセスしたコンテンツ受信者に受信者ＩＤが発行されているかどうかが判断される（ステップＳ５４）。受信者ＩＤを保有していない場合には、アクセスしたコンテンツ受信者に新規の受信者ＩＤが割り当てられる（ステップＳ５６）。その次に、配信期間の延長期間（ステップＳ５８）、及び決済情報（ステップＳ６０）の入力画面が表示され、延長期間及び決済情報が入力される。次いで、決済が行われると（ステップＳ６２）、決済完了して配信期間が延長される（ステップＳ６４）。これにより、コンテンツの配信を受けるコンテンツ受信者が独自の判断でコンテンツの配信期間の延長を行うことができる。この延長された配信期間は、延長手続を行ったコンテンツ受信者の受信者ＩＤとともに記憶される。【選択図】      図６
2006107115.tif 000002
【特許請求の範囲】
【請求項１】
注文者端末からコンテンツの登録を受け付けるコンテンツ登録受付手段と、
前記コンテンツを配信期間と関連付けて記憶するコンテンツ記憶手段と、
前記注文者端末からの入力に基づいて、前記コンテンツにアクセスするためのアクセス情報をコンテンツ受信者に配布するアクセス情報配布手段と、
コンテンツ受信者端末から入力されたアクセス情報に基づいて、前記コンテンツ記憶手段から前記コンテンツ受信者端末に前記コンテンツを配信するコンテンツ配信手段と、
前記コンテンツ受信者端末から前記コンテンツの配信期間の延長を受け付ける延長受付手段と、
前記コンテンツ受信者端末に対して前記配信期間の延長料金の課金を行う課金手段と、
を備えることを特徴とするコンテンツ配信システム。
【請求項２】
前記コンテンツ受信者に固有のＩＤを割り当てるＩＤ割当手段と、
前記コンテンツの配信期間が延長された際に、延長された配信期間と、前記配信期間を延長したコンテンツ受信者のＩＤとを関連付けて記憶する記憶手段と、
前記コンテンツ受信者端末に前記配信期間を延長したコンテンツ受信者のＩＤを配信する配信手段と、
を更に備えることを特徴とする請求項１記載のコンテンツ配信システム。
【請求項３】
注文者端末からコンテンツの登録を受け付けるコンテンツ登録受付手段と、
前記コンテンツを配信期間と関連付けて記憶するコンテンツ記憶手段と、
前記注文者端末からの入力に基づいて、前記コンテンツにアクセスするためのアクセス情報をコンテンツ受信者に配布するアクセス情報配布手段と、
宣伝広告用データを記憶する宣伝広告用データ記憶手段と、
コンテンツ受信者端末から入力されたアクセス情報に基づいて、前記コンテンツ記憶手段から前記コンテンツ受信者端末に前記コンテンツを前記宣伝広告用データとともに配信するコンテンツ配信手段と、
前記コンテンツへのアクセス回数に応じて当該コンテンツの配信期間を延長する配信期間延長手段と、
を備えることを特徴とするコンテンツ配信システム。
【請求項４】
前記コンテンツへのアクセス情報が埋め込まれた２次元コードがプリントされた写真プリントを発行するプリント手段を更に備え、
前記アクセス情報配布手段は、前記写真プリントを前記受信者に配布し、
前記コンテンツ受信者端末は、前記２次元コードからアクセス情報を読み取って、前記コンテンツにアクセスすることを特徴とする請求項１から３のいずれか１項記載のコンテンツ配信システム。
【発明の詳細な説明】
【技術分野】
【０００１】
本発明はコンテンツ配信システムに係り、特に２次元コード等に埋め込まれたアクセス情報に基づいてアクセスしてきた携帯電話機等にコンテンツを配信するコンテンツ配信システムに関する。
【背景技術】
【０００２】
従来、バーコードを読み取って画像や文字などのコンテンツを配信する情報システムが考案されている。例えば、特許文献１の情報提供システムは、バーコードが印刷されたカード、葉書、ポスター、雑誌などの表示媒体と、バーコードを読み取るバーコードリーダと、読み取られた情報を送信し、返送された情報を表示・出力する端末装置と、端末装置と通信ネットワークを介して接続しバーコードに対応する情報を保存・蓄積する配信情報データベースと、カードなどの表示媒体の作成を申し込む手段と、返送する情報をデータベースに登録・保存する手段と、バーコードに対応する情報を端末装置に送信する手段と、ユニークなバーコードの生成手段とを備えている。
【特許文献１】特開２００２−３１２２６９号公報
【発明の開示】
【発明が解決しようとする課題】
【０００３】
一般に、上記のような情報提供システムにおいては、バーコードに対応する情報を記憶する配信情報データベースの容量は限られており、情報を無制限に蓄積しておくことはできない。このため、通常記憶されてから所定の期間以上経過した情報は順次削除されたり、バーコードが印刷されたカード等を配布して情報を提供する提供者が所定の料金を払うことにより情報が記憶される期間が延長される。しかしながら、上記の場合、情報の配信期間に受信者側の意向が反映されないため、情報の配信を受ける受信者の人気が高く、利用頻度の高い情報が受信者のニーズに反して短期間で削除されてしまうなどの問題があった。
【０００４】
本発明はこのような事情に鑑みてなされたもので、コンテンツの配信を受ける受信者の意向に沿ってコンテンツの配信期間を延長することができるコンテンツ配信システムを提供することを目的とする。
【課題を解決するための手段】
【０００５】
上記目的を達成するために請求項１に係るコンテンツ配信システムは、注文者端末からコンテンツの登録を受け付けるコンテンツ登録受付手段と、前記コンテンツを配信期間と関連付けて記憶するコンテンツ記憶手段と、前記注文者端末からの入力に基づいて、前記コンテンツにアクセスするためのアクセス情報をコンテンツ受信者に配布するアクセス情報配布手段と、コンテンツ受信者端末から入力されたアクセス情報に基づいて、前記コンテンツ記憶手段から前記コンテンツ受信者端末に前記コンテンツを配信するコンテンツ配信手段と、前記コンテンツ受信者端末から前記コンテンツの配信期間の延長を受け付ける延長受付手段と、前記コンテンツ受信者端末に対して前記配信期間の延長料金の課金を行う課金手段とを備えることを特徴とする。
【０００６】
請求項１に係るコンテンツ配信システムによれば、コンテンツの配信を受けるコンテンツ受信者の意向に沿ったコンテンツの配信期間の設定を行うことができる。また、コンテンツ受信者が配信期間の延長に要する費用を負担するため、コンテンツを提供する側の注文者がコンテンツの配信に要する金銭的負担を最小限に抑えることができる。
【０００７】
請求項２に係るコンテンツ配信システムは、請求項１において、前記コンテンツ受信者に固有のＩＤを割り当てるＩＤ割当手段と、前記コンテンツの配信期間が延長された際に、延長された配信期間と、前記配信期間を延長したコンテンツ受信者のＩＤとを関連付けて記憶する記憶手段と、前記コンテンツ受信者端末に前記配信期間を延長したコンテンツ受信者のＩＤを配信する配信手段とを更に備えることを特徴とする。
【０００８】
請求項２に係るコンテンツ配信システムによれば、コンテンツの受信者や注文者は、各々の端末（携帯電話等）を用いて記憶手段を参照することにより、コンテンツの配信期間の延長処理を行ったコンテンツ受信者の特定を行うことができる。
【０００９】
請求項３に係るコンテンツ配信システムは、注文者端末からコンテンツの登録を受け付けるコンテンツ登録受付手段と、前記コンテンツを配信期間と関連付けて記憶するコンテンツ記憶手段と、前記注文者端末からの入力に基づいて、前記コンテンツにアクセスするためのアクセス情報をコンテンツ受信者に配布するアクセス情報配布手段と、宣伝広告用データを記憶する宣伝広告用データ記憶手段と、コンテンツ受信者端末から入力されたアクセス情報に基づいて、前記コンテンツ記憶手段から前記コンテンツ受信者端末に前記コンテンツを前記宣伝広告用データとともに配信するコンテンツ配信手段と、前記コンテンツへのアクセス回数に応じて当該コンテンツの配信期間を延長する配信期間延長手段とを備えることを特徴とする。
【００１０】
請求項３に係るコンテンツ配信システムによれば、アクセス回数に応じてコンテンツの配信期間が延長されるため、コンテンツの配信を受けるコンテンツ受信者の意向に沿った配信期間の設定を行うことができる。また、広告収入を配信期間の延長に要する費用に充てることができるので、注文者やコンテンツ受信者の金銭的負担を低減することができる。
【００１１】
請求項４に係るコンテンツ配信システムは、請求項１から３において、前記コンテンツへのアクセス情報が埋め込まれた２次元コードがプリントされた写真プリントを発行するプリント手段を更に備え、前記アクセス情報配布手段は、前記写真プリントを前記受信者に配布し、前記コンテンツ受信者端末は、前記２次元コードからアクセス情報を読み取って、前記コンテンツにアクセスすることを特徴とする。
【発明の効果】
【００１２】
本発明によれば、コンテンツの配信を行うコンテンツの配信を受けるコンテンツ受信者の意向に沿ったコンテンツの配信期間の設定を行うことができる。また、注文者やコンテンツ受信者の配信期間の延長に要する金銭的負担を低減することができる。
【発明を実施するための最良の形態】
【００１３】
以下、添付図面に従って本発明に係るコンテンツ配信システムの好ましい実施の形態について説明する。
【００１４】
図１は、本発明の一実施形態に係るコンテンツ配信システムを模式的に示す図である。図１に示すコンテンツ配信システム１０は、音声や静止画、動画等のコンテンツへのアクセス情報が埋め込まれた２次元コード（ＱＲコード）１２が注文者端末（ＰＣ等。図２の符号２２）からアップロードされる画像１４とともにプリントされた写真プリント１６をプリントして販売するとともに、配信用のコンテンツを記憶するための記憶スペースを提供するためのものである。この写真プリント１６を購入した注文者や、この写真プリント１６を注文者から配布されたコンテンツ受信者は、コンテンツ取得装置（カメラ付き携帯電話機等。以下の説明では、単に携帯電話機という）２０によりこのＱＲコード１２を撮影することによりコンテンツの配信を受けることができる。
【００１５】
図２は、コンテンツ配信システム１０を示すブロック図である。図２に示すように、コンテンツ配信システム１０は、制御部２４と、Ｗｅｂサーバ２６と、認証部２８と、コンテンツデータベース（コンテンツＤＢ）３０と、管理データベース（ＭＤＢ）３２と、コンテンツ再生アプリ作成部３４と、コード発行部３６と、プリンタ３８等を備えている。
【００１６】
制御部（ＣＰＵ）２４は、コンテンツ配信システム１０内の各部とバス４８を介して接続されており、各部の動作制御を行う。
【００１７】
Ｗｅｂサーバ２６は、注文者端末２２（ＰＣ等）にユーザＩＤ等の認証情報を割り当て、注文者端末２２のブラウザに入力されたＵＲＬ（Uniform Resource Locator）によって特定されるＷｅｂページを注文者端末２２に送信し、注文者端末２２からの画像や音声ファイル等のコンテンツのアップロード等やプリント注文を受け付ける。
【００１８】
認証部２８は、注文者端末２２から上記のＷｅｂページの入力フォームに入力された注文者識別情報（注文者ＩＤ及びパスワード）により注文者端末２２のコンテンツ配信システム１０への接続を認証する。なお、本実施形態においては、注文者端末２２からの接続の認証に用いられる注文者識別情報は、注文者ＩＤ及びパスワードのほか、生体認証情報（例えば、指紋情報）等やこれらの組み合わせであってもよい。
【００１９】
コンテンツＤＢ３０には、注文者端末２２からコンテンツ配信システム１０にアップロードされる画像と合成するためのテンプレート画像ファイル（静止画、動画）や、このテンプレート画像ファイルと関連付けられたテンプレート音声ファイルを含むテンプレート情報が記憶される。
【００２０】
ＭＤＢ３２には、認証部２８によって認証された注文者端末２２から画像が送信された際に、注文者ＩＤや画像、画像と合成されるテンプレート（テンプレート画像ファイル及びテンプレート音声ファイル）等の注文情報が記憶される。
【００２１】
コンテンツ再生アプリ作成部３４は、画像と合成されたテンプレートを再生するための携帯電話機２０用のアプリケーション（以下の説明では、コンテンツ再生アプリという）を作成する。
【００２２】
コード発行部３６は、コンテンツ再生アプリの格納場所を示すＵＲＬや、電話音声の再生を行う録音音声再生センタの電話番号並びに再生すべき電話音声の識別子が記述されたＷｅｂページのＵＲＬ等を含むＱＲコードを発行する。
【００２３】
プリンタ３８は、注文者端末２２から送信された画像やＱＲコードを所定の用紙にプリントするための装置である。
【００２４】
また、図２に示すように、コンテンツ配信システム１０は、通信部４０と、録音部４２と、音声ファイル変換部４４と、再生部４６とを備えている。これらの機能部は、ＣＴＩ（Computer Telephony Integration）に用いられる。
【００２５】
通信部４０は、移動体電話通信網の基地局と通信して、コンテンツ配信システム１０と携帯電話機２０との間で通話音声や各種データの送受信を行う通信インターフェースである。通信部４０には所定の電話番号が付されている。
【００２６】
録音部４２は、携帯電話機２０やその他の各種電話機（固定電話等）から着信した音声を録音する装置である。
【００２７】
音声ファイル変換部４４は、録音部４２によって録音された音声を注文者端末２２で再生可能なフォーマットの音声ファイル（例えば、ｗａｖファイル等）に変換する装置である。音声ファイル変換部４４によって変換された音声ファイルはコンテンツＤＢ３０に出力されて記憶される。
【００２８】
再生部４６は、通信部４０を介して携帯電話機２０等から入力されたプッシュトーン信号により録音／再生の指示を受け付け、コンテンツＤＢ３０の音声ファイルを再生して、通信部４０を介して所定の電話番号に着信した携帯電話機２０等に音声を送信する。
【００２９】
次に、携帯電話機２０について説明する。図３は、携帯電話機２０の主要構成を示すブロック図である。
【００３０】
図３に示すように、携帯電話機２０は、ＣＰＵ５０と、通信Ｉ／Ｆ５２と、操作部５４と、カメラ５６と、表示部５８と、スピーカ６０と、マイク６２と、メモリ６４と、コードリーダ６６とを備える。
【００３１】
ＣＰＵ５０は、携帯電話機２０内の各部とバス６８を介して接続されており、各部の動作制御を行う。通信Ｉ／Ｆ５２は所定のプロトコルにしたがってネットワークを介して通信するためのインターフェースであり、操作部５４はユーザの操作入力を受け付けるボタン等である。
【００３２】
カメラ５６は画像を撮影するための装置であり、表示部５８はカメラ５６によって撮影された画像やコンテンツ配信システム１０より送信されたコンテンツを表示するモニタである。また、スピーカ６０は通話時やコンテンツ再生時に音声を出力する装置であり、マイク６２は通話時や音声録音時に音声を入力する装置である。
【００３３】
メモリ６４は、ＣＰＵ５０が処理するプログラム及び制御に必要な各種データ等が格納されるＲＯＭや、カメラ５６によって撮影された画像が記憶される記憶領域、及びＣＰＵ５０が各種の演算処理等を行う作業用領域となるＲＡＭ等を含んでいる。
【００３４】
コードリーダ６６は、カメラ５６によってＱＲコードが撮影された際に、ＱＲコードに埋め込まれている情報を読み取る装置である。なお、本明細書では簡略のため、２次元コードとＱＲコードを同視して説明するが、ＱＲコードの代わりにＰＤＦ４１７・データコード・マキシコードなどの各種２次元コードを用いてもよい。携帯電話機２０がバーコードを読み取る手段を備えていれば２次元コードの代わりにバーコードを用いてもよい。
【００３５】
次に、本実施形態のコンテンツ配信システム１０のプリント注文方法について、図４を参照して説明する。図４は、プリント注文方法を示すフローチャートである。
【００３６】
まず、注文者端末２２からコンテンツ配信システム１０にアクセスされると、Ｗｅｂサーバ２６により注文者端末２２に認証画面が送信される。そして、この認証画面に入力された注文者ＩＤ、及びパスワード等に基づいて認証部２８により注文者端末２２が認証される（ステップＳ１０）。
【００３７】
ステップＳ１０において注文者端末２２が認証されると、Ｗｅｂサーバ２６によりプリント用画像と合成するためのテンプレートの選択画面が送信され、注文者端末２２からの操作入力によりテンプレート（テンプレート画像ファイル及びテンプレート音声ファイル）が選択される（ステップＳ１２）。
【００３８】
次に、注文者端末２２からコンテンツ配信システム１０にプリント用画像がアップロードされると、注文者ＩＤとプリント用画像が関連付けられてＭＤＢ３２に記憶される（ステップＳ１４）。
【００３９】
また、コンテンツ再生アプリ作成部３４により、画像と合成されたテンプレートの動画や音声を再生するためのコンテンツ再生アプリが作成され、コンテンツＤＢ３０に記憶される（ステップＳ１６）。
【００４０】
その次に、写真プリント１６の枚数や配送先等の注文情報が入力される（ステップＳ１８）。
【００４１】
また、コード発行部３６によりコンテンツＤＢ３０に記憶されたコンテンツ再生アプリへのアクセス情報が埋め込まれたＱＲコードが発行される（ステップＳ２０）。このＱＲコードは、上記の注文者ＩＤと関連づけられてＭＤＢ３２に記憶される。
【００４２】
そして、注文者端末２２からの操作入力により、注文が確定されて、代金の決済処理が行われる（ステップＳ２２）。これにより、コンテンツ再生アプリへのアクセス情報が埋め込まれたＱＲコード１２及び合成画像１４がプリントされた写真プリント１６（図１参照）が注文者に送付される。注文者は、この写真プリント１６を所望の相手（コンテンツ受信者）に配布する。
【００４３】
なお、本実施形態のコンテンツ配信システム１０においては、プリント注文情報の入力時（図４のステップＳ１８）に、通信部４０に付与された電話番号が埋め込まれた２次元コード（ＱＲコード）と画像とがプリントされた音声変更カードを注文しておくことにより、プリント注文時に画像と合成された音声を変更することもできる。
【００４４】
以下に音声の変更方法について、図５を参照して説明する。図５は、音声の変更方法を示すフローチャートである。
【００４５】
まず、携帯電話機２０により音声変更カードのＱＲコードが撮影され、コードリーダ６６により音声変更用Ｗｅｂページへのアクセス情報（通信部４０に付与された電話番号）が読み取られる（ステップＳ３０）。そして、ステップＳ３０において読み取られたアクセス情報に基づいてコンテンツ配信システム１０の通信部４０にアクセスされる（ステップＳ３２）。
【００４６】
次に、録音部４２により通話音声が録音用フォーマット（例えば、ＷＡＶファイル等）で録音される（ステップＳ３４）。ステップＳ３４において作成された録音用フォーマットの音声ファイルは、音声ファイル変換部４４により携帯電話機２０にダウンロード可能なファイルサイズとなるように所定の音質の範囲内で再生用フォーマットの音声ファイルに変換される（ステップＳ３６）。そして、この音声ファイルからコンテンツ再生アプリ作成部３４によりコンテンツ再生アプリが作成されてコンテンツＤＢ３０に記憶される（ステップＳ３８）。なお、ステップＳ３８において、新しく作成されたコンテンツ再生アプリは、変更前のものに上書きされる。これにより、コンテンツ再生時に再生される音声が変更される。
【００４７】
なお、注文者は、ＰＣ等から音声ファイルをコンテンツ配信システム１０に直接アップロードしてもよい。この場合、例えば、音声変更カードに音声変更用のＷｅｂページのＵＲＬ、又はこのＵＲＬが埋め込まれたＱＲコードをプリントしておき、ＰＣ等にこのＵＲＬを入力して音声変更用Ｗｅｂページにアクセスする。そして、上記のステップＳ３６及びＳ３８と同様にしてアップロードされた音声ファイルからコンテンツ再生アプリが作成される。
【００４８】
次に、コンテンツ配信システム１０においてコンテンツの配信される期間を延長する方法について、図６〜図１０を参照して説明する。本実施形態においては、所定の料金を支払うことにより、注文者と、注文者から写真プリント１６を配布されてコンテンツの配信を受けるコンテンツ受信者のいずれもが配信期間の延長を行うことができる。以下では、コンテンツ受信者が配信期間の延長を行う場合について説明する。
【００４９】
図６は本発明の第１の実施形態に係るコンテンツの配信期間の延長方法を示すフローチャートであり、図７〜図１０は携帯電話機２０の表示部５８に表示される画面の例を示す図である。
【００５０】
まず、コンテンツ受信者の携帯電話機２０により写真プリント１６のＱＲコード１２が撮影されて、コードリーダ６６によりコンテンツへのアクセス情報が読み取られ、コンテンツ配信システム１０にアクセスされると、ＱＲコード１２と関連付けられたコンテンツが携帯電話機２０に配信されて再生される（ステップＳ５０）。図７は、コンテンツの再生画面の例を示す図である。図７には、コンテンツが再生される再生ウィンドウ７０と、「再生」ボタン７２と、「停止」ボタン７４と、「お気に入りにする」ボタン７６が示されている。
【００５１】
次に、ステップＳ５０において再生されたコンテンツ（再生コンテンツ）をお気に入りにして配信期間を延長するかどうかが選択される（ステップＳ５２）。ステップＳ５２において再生コンテンツをお気に入りにしない場合には終了する。一方、再生コンテンツをお気に入りにする場合には、図７の「お気に入りにする」ボタン７６が選択されて確定される。
【００５２】
すると、アクセスしたコンテンツ受信者に受信者ＩＤが発行されているかどうかが判断される（ステップＳ５４）。この受信者ＩＤは、コンテンツの配信期間の延長を行う際にコンテンツ受信者の認証を行うための認証情報である。コンテンツ受信者が受信者ＩＤを保有している場合には、その受信者ＩＤを送信することでステップＳ５８に進む（注文者の場合も同様に注文者ＩＤを送信すればよい）。一方、受信者ＩＤを保有していない場合には、図８に示すようにアクセスしたコンテンツ受信者に新規の受信者ＩＤが割り当てられる（ステップＳ５６）。
【００５３】
その次に、配信期間の延長期間（ステップＳ５８）、及び決済情報（ステップＳ６０）の入力画面が表示され、延長期間及び決済情報が入力される。図９は、延長期間及び決済情報の入力画面の例を示す図である。図９の入力画面には、配信期間を延長する期間を入力する延長期間入力フォーム７８と、料金表示欄８０と、決済情報（例えば、クレジットカードの番号や有効期限等）を入力する決済情報入力フォーム８２と、決済承認のための「はい」ボタン８４及び「いいえ」ボタン８６とが示されている。この延長期間入力フォーム７８に配信期間の延長期間が入力されると、延長期間の長さに応じて料金が計算され、料金表示欄８０に表示されるようになっている。なお、図９においては、決済情報としてクレジットカード情報を入力するようになっているが、振込先の口座番号や電子決済のための情報が表示されるようにしてもよい。
【００５４】
図６のフローチャートの説明に戻ると、次いでステップＳ６２に進み、決済情報を送信するかどうか判断される（ステップＳ６２）。決済を行わない場合には、「いいえ」ボタン８６が選択されて終了する。一方、決済を行う場合には「はい」ボタン８４が選択される。これにより、図１０に示すような決済完了（ＯＫ）画面が表示されて配信期間が延長される（ステップＳ６４）。
【００５５】
本実施形態によれば、コンテンツの配信を受けるコンテンツ受信者が所望のコンテンツの配信期間の延長を行うことができる。なお、本実施形態においては、コンテンツ受信者が配信期間の延長手続を行えば、他のコンテンツ受信者や注文者に対する配信期間も延長される。また、複数のコンテンツ受信者により配信期間の延長手続を行われた場合には、それぞれの延長期間が合算されて延長される。これにより、注文者はコンテンツの登録時のみ費用を負担すればいいので、最小限の金銭的負担でコンテンツの配信を継続することができる。
【００５６】
また、ステップＳ６４においては、延長された配信期間と、延長を行ったコンテンツ受信者の受信者ＩＤ等が関連付けられてコンテンツＤＢ３０に保存される。図１１は、配信期間管理テーブルの例を示す図である。図１１に示す配信期間管理テーブル８８には、コンテンツにアクセスするためのＱＲコード１２、延長の決済が行われた延長日時、配信期間、及び延長の決済を行ったコンテンツ受信者又は注文者のＩＤが記録されている。コンテンツ受信者や注文者は、コンテンツの配信を受ける際に、携帯電話機２０等によりこの配信期間管理テーブル８８を参照することにより、誰が配信期間の延長を行ったかを知ることができる。
【００５７】
以下、本発明の第２の実施形態について、図１２を参照して説明する。図１２は、本発明の第２の実施形態に係るコンテンツの再生画面を示す図である。
【００５８】
図１２の再生画面には、コンテンツの再生ウィンドウ７０と、広告用画像１００と、アクセスカウンタ１０２が示されている。アクセスカウンタ１０２には、コンテンツの注文者やコンテンツ受信者がコンテンツにアクセスした回数が記録される。本実施形態においては、このアクセスカウンタ１０２に記録されたアクセス回数に応じて配信期間が延長される。例えば、１０００回アクセスされたコンテンツは３カ月延長されるようにする。なお、配信期間の延長に要する料金は、広告用画像１００の広告主から徴収される広告料金によって賄われる。
【００５９】
本実施形態によれば、配信希望の多いコンテンツの配信期間が自動的に延長されるため、配信期間の延長にコンテンツ受信者の意向が容易に反映される。
【００６０】
なお、本実施形態においては、アクセスカウンタ１０２とともに「あと○○○回アクセスすると、コンテンツの配信期間が○○ヶ月に延長されます。」等の表示がなされるようにしてもよい。
【００６１】
なお、本明細書では、ＱＲコード１２のプリントされた写真プリント１６を販売するシステムに本発明を適用した例について説明したが、本発明はこれに限定されるものではなく、例えば、コンテンツの配信期間が設定されたＷｅｂページや、ネットワーク上のデジタルギャラリー等においても本発明を適用することができる。これにより、コンテンツを作成する側の金銭的負担が低減され、コンテンツを作成する側はよりよいコンテンツの作成に専念できる。
【図面の簡単な説明】
【００６２】
【図１】本発明の一実施形態に係るコンテンツ配信システムを模式的に示す図
【図２】コンテンツ配信システム１０を示すブロック図
【図３】携帯電話機２０の主要構成を示すブロック図
【図４】プリント注文方法を示すフローチャート
【図５】音声の変更方法を示すフローチャート
【図６】第１の実施形態に係るコンテンツの配信期間の延長方法を示すフローチャート
【図７】コンテンツの再生画面の例を示す図
【図８】受信者ＩＤの割り当て画面を示す図
【図９】延長期間及び決済情報の入力画面の例を示す図
【図１０】決済完了（ＯＫ）画面の例を示す図
【図１１】配信期間管理テーブルの例を示す図
【図１２】本発明の第２の実施形態に係るコンテンツの再生画面
【符号の説明】
【００６３】
１０…コンテンツ配信システム、１２…２次元コード（ＱＲコード）、１４…画像、１６…写真プリント、２０…コンテンツ取得装置（カメラ付き携帯電話機）、２２…注文者端末、２４…制御部、２６…Ｗｅｂサーバ、２８…認証部、３０…コンテンツデータベース（ＤＢ）、３２…管理データベース（ＭＤＢ）、３４…コンテンツ再生アプリ作成部、３６…コード発行部、３８…プリンタ、４０…通信部、４２…録音部、４４…音声ファイル変換部、４６…再生部、５０…ＣＰＵ、５２…通信Ｉ／Ｆ、５４…操作部、５６…カメラ、５８…表示部、６０…スピーカ、６２…マイク、６４…メモリ、６６…コードリーダ、６８…バス、７０…再生ウィンドウ、７２…「再生」ボタン、７４…「停止」ボタン、７６…「お気に入りにする」ボタン、７８…延長期間入力フォーム、８０…料金表示欄、８２…決済情報入力フォーム、８４…「はい」ボタン、８６…「いいえ」ボタン、８８…配信期間管理テーブル、１００…広告用画像、１０２…アクセスカウンタ
【図１】
2006107115.tif 000003
【図２】
2006107115.tif 000004
【図３】
2006107115.tif 000005
【図４】
2006107115.tif 000006
【図５】
2006107115.tif 000007
【図６】
2006107115.tif 000008
【図７】
2006107115.tif 000009
【図８】
2006107115.tif 000010
【図９】
2006107115.tif 000011
【図１０】
2006107115.tif 000012
【図１１】
2006107115.tif 000013
【図１２】
2006107115.tif 000014